(57)【要約】【課題】屈曲した形状を保持できるワイヤハーネスを提供すること。【解決手段】ワイヤハーネスは、ケーブルと、ケーブルホルダとを備える。ケーブルホルダはケーブルを固定対象に固定する。ケーブルホルダは、保持部と、クリップ部とを備える。保持部は、ケーブルの一部を、屈曲部を有する形状となるように保持する。クリップ部は、固定対象に設けられた固定孔に係止される。クリップ部は、保持部のケーブルが配置される側とは反対側の部分に設けられる。ワイヤハーネスは、例えば、バンドをさらに備える。バンドは、ケーブルと保持部とを固定する。クリップ部は、例えば、固定孔に差し込まれる差込部と、当接部とを備える。当接部は、固定対象のうち、固定孔の周囲の部分に当接する。バンドの少なくとも一部は、当接部と保持部との間に位置する。【選択図】図３
2020205733.tif 000002
【特許請求の範囲】
【請求項１】
ケーブルと、
前記ケーブルを固定対象に固定するケーブルホルダと、
を備え、
前記ケーブルホルダは、
前記ケーブルの一部を、屈曲部を有する形状となるように保持する保持部と、
前記固定対象に設けられた固定孔に係止されるクリップ部と、
を備え、
前記クリップ部は、前記保持部の前記ケーブルが配置される側とは反対側の部分に設けられたワイヤハーネス。
【請求項２】
請求項１に記載のワイヤハーネスであって、
前記ケーブルと前記保持部とを固定するバンドをさらに備え、
前記クリップ部は、
前記固定孔に差し込まれる差込部と、
前記差込部よりも前記保持部の側に位置し、前記差込部を前記固定孔に差し込んだとき、前記固定対象のうち、前記固定孔の周囲の部分に当接する当接部と、
を備え、
前記バンドの少なくとも一部は、前記当接部と前記保持部との間に位置するワイヤハーネス。
【請求項３】
請求項１又は２に記載のワイヤハーネスであって、
前記保持部と前記クリップ部とは一体の部材であるワイヤハーネス。
【発明の詳細な説明】
【技術分野】
【０００１】
本開示はワイヤハーネスに関する。
【背景技術】
【０００２】
特許文献１に、車両用のワイヤハーネスが開示されている。ワイヤハーネスは、所定の経路に沿って配索される。
【先行技術文献】
【特許文献】
【０００３】
【特許文献１】特開２０１３−２３７４２８号公報
【発明の概要】
【発明が解決しようとする課題】
【０００４】
ワイヤハーネスの経路は、屈曲した区間を有することが多い。ワイヤハーネスのうち、屈曲した区間に配索される部分の形状を、予め、屈曲した形状に保持しておけば、ワイヤハーネスを配索する作業が容易になる。本開示の１つの局面は、屈曲した形状を保持できるワイヤハーネスを提供することを目的とする。
【課題を解決するための手段】
【０００５】
本開示の１つの局面は、ケーブルと、前記ケーブルを固定対象に固定するケーブルホルダと、を備え、前記ケーブルホルダは、前記ケーブルの一部を、屈曲部を有する形状となるように保持する保持部と、前記固定対象に設けられた固定孔に係止されるクリップ部と、を備え、前記クリップ部は、前記保持部の前記ケーブルが配置される側とは反対側の部分に設けられたワイヤハーネスである。
【０００６】
本開示の１つの局面であるワイヤハーネスは、保持部を備えることにより、ケーブルの一部を、屈曲部を有する形状となるように保持することができる。そのため、本開示の１つの局面であるワイヤハーネスを用いれば、配索の作業が容易になる。
【図面の簡単な説明】
【０００７】
【図１】ワイヤハーネス１の構成を表す側面図である。
【図２】ワイヤハーネス１の構成を表す上面図である。
【図３】ワイヤハーネス１の構成を表す底面図である。
【図４】ワイヤハーネス１のうち、クリップ部１５の付近の構成を表す側面図である。
【図５】ケーブルホルダ５の構成を表す上面図である。
【図６】図１におけるＶＩ−ＶＩ断面での断面図である。
【図７】別形態のワイヤハーネス１の構成を表すＶＩ−ＶＩ断面での断面図である。
【図８】別形態のワイヤハーネス１の構成を表すＶＩ−ＶＩ断面での断面図である。
【発明を実施するための形態】
【０００８】
本開示の例示的な実施形態について図面を参照しながら説明する。
＜第１実施形態＞
１．ワイヤハーネス１の構成
ワイヤハーネス１の構成を、図１〜図６に基づき説明する。図１、図４に示すように、ワイヤハーネス１は、固定対象１０１に固定される。固定対象１０１は、例えば、車両の一部である。固定対象１０１は、例えば、板状の部材である。固定対象１０１は、固定孔１０５を備える。固定孔１０５は、固定対象１０１を貫通する孔である。
【０００９】
図１〜図４に示すように、ワイヤハーネス１は、ケーブル３と、ケーブルホルダ５と、複数のバンド７、９、１１と、を備える。ケーブル３は公知の形態を有する。図６に示すように、ケーブル３の軸方向に直交する断面において、ケーブル３の外周面の形状は円形である。ケーブル３は、例えば、絶縁電線が撚り合わされてなる集合体と、当該集合体を被覆するシースと、を有するものである。集合体に含まれる絶縁電線は、例えば、複数の素線が撚り合わされてなる中心導体と、当該中心導体を被覆する絶縁体とを有する。また、ケーブル３は、例えば、電気ブレーキ用のケーブル、又はＡＢＳセンサ用のケーブル等である。なお、図６においては、集合体やシースの図示を省略している。
【００１０】
図１、図３、図４、図６に示すように、ケーブルホルダ５は、保持部１３と、クリップ部１５とを備える。保持部１３とクリップ部１５とは一体の部材である。ケーブルホルダ５の材料は、例えば、樹脂である。樹脂として、例えば、ポリアセタール、ポリアミド、ポリブチレンテレフタレート等が挙げられる。
【００１１】
保持部１３は、屈曲されたケーブル３の軸方向に沿って延びる長尺の部材である。図１に示すように、側方視において、保持部１３の形状は、屈曲部１７を有する形状である。側方視において、保持部１３のうち、屈曲部１７を除く部分の形状は、例えば、直線に沿って延びる形状である。
【００１２】
図６に示すように、保持部１３は、ケーブル３の軸方向から見たとき、円弧状の形態を有する。円弧の曲率は、ケーブル３の外周面の曲率とほぼ同じである。保持部１３のうち、円弧の内面の部分が、ケーブル３の外周面に接している。保持部１３は、その長手方向における全体にわたってケーブル３と当接し、ケーブル３を保持している。図１に示すように、ケーブル３のうち、屈曲部１７に保持される部分は、屈曲部１７と同様に屈曲している。
【００１３】
図１〜図６に示すように、保持部１３は、複数のバンドガイド１８を備える。複数のバンドガイド１８は、それぞれ環状の形態を有する。図１に示すように、バンドガイド１８は、保持部１３のうち、ハンド７、９を取り付ける位置と、バンド１１を取り付ける位置とにそれぞれ設けられている。バンド７、９を取り付ける位置は、保持部１３の長手方向における一方の端部１９の付近である。バンド１１を取り付ける位置は、保持部１３の長手方向において端部１９とは反対側の端部２１の付近である。図６に示すように、バンドガイド１８は、ケーブル３の軸方向から見たとき、保持部１３の周方向における両端付近に設けられている。
【００１４】
図１、図４、図６に示すように、クリップ部１５は、保持部１３のケーブル３が配置される側とは反対側の部分に設けられている。そのため、クリップ部１５とケーブル３との間に保持部１３が存在する。図６に示すように、ケーブル３の軸方向から見たとき、クリップ部１５の位置は、保持部１３の周方向における中央の位置である。
【００１５】
図４に示すように、クリップ部１５は、差込部２３と、当接部２５とを備える。差込部２３は、固定孔１０５に差し込まれる部分である。差込部２３は、本体部２６と、２本の爪部材２７とを備える。本体部２６は、保持部１３の長手方向に直交する方向に延びている。２本の爪部材２７は、それぞれ、本体部２６の先端２６Ａに接続している。２本の爪部材２７は、それぞれ、先端２６Ａから、保持部１３の方向に延びている。２本の爪部材２７は本体部２６を両側から挟んでいる。それぞれの爪部材２７と本体部２６とは、隙間を介して対向している。
【００１６】
図４に示すように、側面視において、２本の爪部材２７の外側面２７Ａは、それぞれ、山形の基本形態を有する。すなわち、側面視において、外側面２７Ａは、頂点２８と、第１端面３０と、第２端面３２とにより構成される。
【００１７】
第１端面３０は、頂点２８よりも、先端２６Ａの側に位置する。側面視において、第１端面３０の形状は直線である。第１端面３０は、頂点２８の側に行くほど、本体部２６から遠ざかるように傾斜している。
【００１８】
第２端面３２は、頂点２８よりも、保持部１３の側に位置する。側面視において、第２端面３２の形状は、階段状の形状である。第２端面３２は、頂点２８の側に行くほど、本体部２６から遠ざかるように傾斜している。
【００１９】
差込部２３のうち、頂点２８よりも先端２６Ａの側の部分の幅は、先端２６Ａの側にゆくほど狭くなっている。差込部２３のうち、頂点２８よりも保持部１３の側の部分の幅は、頂点２８の側にゆくほど広くなっている。２本の爪部材２７は、それぞれ、本体部２６に近づく方向に弾性変形可能である。２本の爪部材２７が弾性変形していないとき、頂点２８における差込部２３の幅は、固定孔１０５の内径より大きい。
【００２０】
ケーブルホルダ５を固定対象１０１に固定するとき、差込部２３が固定孔１０５に差し込まれる。上述したとおり、差込部２３のうち、頂点２８よりも先端２６Ａの側の部分では、差込部２３の幅は、先端２６Ａの側にゆくほど狭くなっている。そのため、差込部２３を固定孔１０５に差し込むことは容易である。
【００２１】
２本の爪部材２７は、差込部２３が固定孔１０５に差し込まれる前の自然状態において、本体部２６から大きく離間している。差込部２３が固定孔１０５に差し込まれるとき、当初は、第１端面３０が固定孔１０５の内面に接する。差込部２３が固定孔１０５に深く差し込まれるほど、２本の爪部材２７は、本体部２６に近づく方向に大きく弾性変形する。つまり、差込部２３が固定孔１０５に深く差し込まれるほど、２本の爪部材２７と本体部２６との間の距離は、自然状態のときよりも短くなる。
【００２２】
図４に示すように、差込部２３が固定孔１０５にさらに深く差し込まれ、頂点２８が固定孔１０５を通過すると、２本の爪部材２７は、弾性変形により生じる復元力により、本体部２６から離れる方向に変位してゆく。その結果、第２端面３２が、固定孔１０５のうち、保持部１３とは反対側の端部１０５Ｂと当接する。差込部２３のうち、頂点２８よりも保持部１３の側の部分の幅は、頂点２８の側にゆくほど広くなっており、且つ、第２端面３２の形状は階段状であるため、差込部２３は固定孔１０５から抜け難い。
【００２３】
差込部２３が固定孔１０５に差し込まれ、固定されることは、クリップ部１５が固定孔１０５に係止されることに対応する。クリップ部１５が固定孔１０５に係止されることにより、ケーブルホルダ５は固定対象１０１に固定される。ケーブル３はケーブルホルダ５に固定され、ケーブルホルダ５は固定対象１０１に固定されるので、ケーブルホルダ５は、ケーブル３を固定対象１０１に固定する。
【００２４】
図１、図３、図６に示すように当接部２５は、差込部２３よりも保持部１３の側に位置する。当接部２５は傘型の形態を有する。当接部２５は、保持部１３に対し、一定の距離をおいて対向している。当接部２５の幅は、差込部２３の幅より広い。
【００２５】
図４に示すように、差込部２３を固定孔１０５に差し込んだとき、当接部２５は、固定対象１０１のうち、保持部１３の側の表面であって、固定孔１０５の周囲の部分（以下では周縁部１０１Ａとする）に当接する。当接部２５が周縁部１０１Ａに当接することにより、固定対象１０１に対するケーブルホルダ５の位置が安定する。また、当接部２５が周縁部１０１Ａに当接することにより、保持部１３が例えば図６における下方向（すなわち、固定対象１０１側）に移動することを抑制できる。
【００２６】
図６に示すように、保持部１３及びクリップ部１５は、ケーブル３の軸方向と直交する方向（図６における上下方向）に並んで配置されている。保持部１３は、ケーブル３とクリップ部１５との間に配置されている。よって、図６における上側から下側を見たとき、保持部１３及びクリップ部１５は重なる。これにより、ケーブルホルダ５の幅方向（図６における左右方向）での大きさを抑制できる。
【００２７】
バンド７、９、１１は、帯状の基本形態を有する。バンド７、９、１１は、例えば、樹脂から成る。樹脂として、例えば、ナイロン等が挙げられる。バンド７、９、１１は、折り曲げることが可能である。図１〜図４、図６に示すように、バンド７、９、１１は、それぞれ、ケーブル３及び保持部１３に巻かれている。バンド７、９、１１により、ケーブル３と保持部１３とが固定される。バンド７、９、１１は、それぞれ、バンドガイド１８の中を通っている。バンド７、９、１１がバンドガイド１８の中を通ることにより、保持部１３の長手方向におけるバンド７、９、１１の位置が規定される。なお、バンド７、９、１１は、ＳＵＳ等の金属からなるものであってもよい。
【００２８】
図２〜図６に示すように、バンド７は、一方の端部にヘッド部２９を備える。バンド７の反対側の端部３１をヘッド部２９に通すことにより、バンド７は環状の形態となる。ヘッド部２９に端部３１を一旦通すと、端部３１は、ヘッド部２９から抜ける方向へは移動できなくなる。バンド９、１１も、バンド７と同様の構成を有する。図４に示すように、側面視において、バンド７の一部は、当接部２５と保持部１３との間に位置する。また、側面視において、バンド９の一部は、当接部２５と保持部１３との間に位置する。
【００２９】
２．ワイヤハーネス１が奏する効果
（１Ａ）ワイヤハーネス１は、保持部１３により、ケーブル３を、屈曲部を有する形状となるように保持することができる。そのため、ワイヤハーネス１を用いれば、配索の作業が容易になる。
【００３０】
（１Ｂ）クリップ部１５は、保持部１３のうち、ケーブル３とは反対側の部分に設けられている。すなわち、クリップ部１５は、保持部１３のケーブル３が配置される側とは反対側の部分に設けられている。そのため、ケーブルホルダ５を小型化することができる。
（１Ｃ）バンド７、９の一部は、当接部２５と保持部１３との間に位置する。そのため、当接部２５は、バンド７、９と固定対象１０１との間の壁の役割を果たし、バンド７、９と固定対象１０１とが接触することを抑制する。このため、例えば、ワイヤハーネス１に複数回の振動が加わる可能性がある用途にワイヤハーネス１を使用する場合において、バンド７、９の損傷を抑制することができる。ワイヤハーネス１に複数回の振動が加わる可能性がある用途として、例えば、車両の用途がある。
【００３１】
（１Ｄ）保持部１３とクリップ部１５とは一体の部材である。そのため、例えば、ケーブルホルダ５を一度の射出成形で製造することが可能となり、ケーブルホルダ５の製造を容易にすることができる。
＜他の実施形態＞
以上、本開示の実施形態について説明したが、本開示は上述の実施形態に限定されることなく、種々変形して実施することができる。
【００３２】
（１）側面視における保持部１３の形状は、図１に示す形状以外の形状であってもよい。側面視における保持部１３の形状は、例えば、保持部１３の全体が屈曲している形状、２箇所以上の屈曲部を有する形状等であってもよい。
【００３３】
（２）ケーブル３の軸方向から見たとき、保持部１３の形状は、図６に示す形状以外の形状であってもよい。ケーブル３の軸方向から見たとき、保持部１３の形状は、例えば、平板の形状、Ｖ字型の形状、Ｃ字型の形状、平らな底面の両側にそれぞれ壁が設けられた形状等であってもよい。
【００３４】
（３）ケーブルホルダ５は、バンド７、９、１１に代えて、又はバンド７、９、１１に加えて、ケーブル３を保持部１３に固定する機構を備えていてもよい。
例えば、図７に示すように、ケーブル３の軸方向から見たとき、保持部１３の少なくとも一部の形状は、Ｃ字型である。ケーブル３は、Ｃ字型の保持部１３の内部に保持される。ケーブル３をケーブルホルダ５に取り付けるときは、保持部１３の開口部３３を押し広げておき、開口部３３から、ケーブル３を保持部１３の中に押し込むことができる。
【００３５】
保持部１３は、保持部１３の長手方向における全体にわたって図７に示す形状を有していてもよいし、保持部１３の長手方向における一部に限定して図７に示す形状を有していてもよい。
また、例えば、図８に示すように、ケーブルホルダ５は、保持部１３の開口部を開閉可能な蓋３５を備えていてもよい。蓋３５は、例えば、円筒を、円筒の軸方向に沿った断面で分割して成る形状を有する。蓋３５の周方向における端部３５Ａは、ヒンジ３７により、保持部１３の周方向における端部１３Ａに接続している。蓋３５を閉じると、保持部１３と蓋３５とは円筒を形成する。ケーブル３は円筒の内部に保持される。蓋３５を開けると、ケーブルホルダ５にケーブルを取り付けること、及び、ケーブルホルダ５からケーブル３を取り外すことが可能になる。ケーブルホルダ５は、例えば、蓋３５が閉じた状態を維持するロック機構を備える。
【００３６】
蓋３５は、保持部１３の長手方向における全体にわたって設けられていてもよいし、保持部１３の長手方向における一部に限定して設けられていてもよい。蓋３５の数は１であってもよいし、複数であってもよい。
【００３７】
（４）保持部１３の長手方向におけるクリップ部１５の位置は特に限定されない。例えば、クリップ部１５の位置は、端部２１の付近であってもよいし、保持部１３の中央付近であってもよい。
（５）保持部１３とクリップ部１５とは別体であってもよい。例えば、保持部１３とクリップ部１５とを別々に製造してから、保持部１３にクリップ部１５を組み付けることができる。
【００３８】
（６）上記各実施形態における１つの構成要素が有する機能を複数の構成要素に分担させたり、複数の構成要素が有する機能を１つの構成要素に発揮させたりしてもよい。また、上記各実施形態の構成の一部を省略してもよい。また、上記各実施形態の構成の少なくとも一部を、他の上記実施形態の構成に対して付加、置換等してもよい。
【００３９】
（７）上述したワイヤハーネスの他、当該ワイヤハーネスを構成要素とするシステム、ケーブルホルダ、ワイヤハーネスの製造方法、ケーブルホルダの製造方法等、種々の形態で本開示を実現することもできる。
【符号の説明】
【００４０】
１…ワイヤハーネス、３…ケーブル、５…ケーブルホルダ、７、９、１１…ハンド、１３…保持部、１３Ａ…端部、１５…クリップ部、１７…屈曲部、１８…バンドガイド、１９、２１…端部、２３…差込部、２５…当接部、２６…本体部、２６Ａ…先端、２７…爪部材、２７Ａ…外側面、２８…頂点、２９…ヘッド部、３０…第１端面、３１…端部、３２…第２端面、３３…開口部、３５…蓋、３５Ａ…端部、３７…ヒンジ、１０１…固定対象、１０１Ａ…周縁部、１０５…固定孔、１０５Ｂ…端部
【図１】
2020205733.tif 000003
【図２】
2020205733.tif 000004
【図３】
2020205733.tif 000005
【図４】
2020205733.tif 000006
【図５】
2020205733.tif 000007
【図６】
2020205733.tif 000008
【図７】
2020205733.tif 000009
【図８】
2020205733.tif 000010